(57)【要約】【課題】つり合い重りに脱レールが発生したときに、エレベータの運行を速やかに停止させて確実に安全を図ることができるエレベータの安全装置を提供することにある。【解決手段】ガイドレール１３に沿って移動するエレベータのつり合い重り８と、このつり合い重り８の脱レールを検出する脱レール検出スイッチ１８とを備える。脱レール検出スイッチ１８がつり合い重り８の脱レールを検出したときには、その信号が配線ケーブル２２及びテールコード１１を通して制御盤１０に送られ、この信号に基づいてエレベータの駆動装置である巻上機３の安全回路が遮断され、前記つり合い重り８の移動が停止するように制御される。【選択図】    図１
2008030933.tif 000002
【特許請求の範囲】
【請求項１】
ガイドレールに沿って移動するエレベータのつり合い重りと、
このつり合い重りの脱レールを検出する脱レール検出手段と、
この脱レール検出手段が脱レールを検出したときにエレベータの駆動装置を制御して前記つり合い重りの移動を停止させる制御手段と、
を具備することを特徴とするエレベータの安全装置。
【請求項２】
前記つり合い重りは、前記ガイドレールと摺動自在に係合してつり合い重りをガイドする案内装置を備え、この案内装置に前記脱レール検出手段が設けられていることを特徴とする請求項１に記載のエレベータの安全装置。
【発明の詳細な説明】
【技術分野】
【０００１】
この発明は、エレベータのつり合い重りの脱レールの有無を検出するとともに、脱レールの発生を検出したときにエレベータの運行を停止して安全を図るエレベータの安全装置に関する。
【背景技術】
【０００２】
つるべ式のエレベータは、建物の昇降路の上部に駆動装置としての巻上機を備え、この巻上機のトラクションシーブにメインロープが巻き掛けられ、このメインロープの一端側で乗りかごが、他端側で釣合い重りが支持され、これら乗りかご及びつり合い重りがそのメインロープを介して昇降路内に吊り下げられている。そして巻上機が起動し、トラクションシーブが回転することでメインロープが走行し、乗りかご及びつり合い重りがそれぞれガイドレールに沿ってガイドされながら互いに逆方向に昇降移動する。
【０００３】
ところで、地震などで異常振動が発生したときにつり合い重りがガイドレールから離脱する脱レールが生じることが想定される。脱レールが生じると、つり合い重りの移動軌跡がずれてつり合い重りが乗りかごや周辺の機器類に衝突する危険がある。
【０００４】
このため、エレベータには例えば特開平１１−７９５８８号公報に見られるようにつり合い重りの脱レールを検出する検出装置が一般に設けられている。
【特許文献１】特開平１１−７９５８８号公報
【発明の開示】
【発明が解決しようとする課題】
【０００５】
ところが従来の脱レール検出装置は、つり合い重りに脱レールが発生したときに、その脱レールを検出し、その検出信号をエレベータ機械室に送信して機械室内の表示器に脱レールの発生を表示するに過ぎない。そして、その表示を保守員が見て、脱レールに対処するようにしている。
【０００６】
しかしながら、エレベータの運行中に脱レールが発生すると、その脱レールしたつり合い重りが乗りかごや周辺機器に衝突する恐れがあり、表示器に表示された後に脱レールの対処をとるのでは、安全管理上十分とは言えない。
【０００７】
この発明はこのような点に着目してなされたもので、その目的とするところは、つり合い重りに脱レールが発生したときに、速やかにエレベータの運行を停止させて確実に安全を図ることができるエレベータの安全装置を提供することにある。
【課題を解決するための手段】
【０００８】
請求項１の発明は、ガイドレールに沿って移動するエレベータのつり合い重りと、このつり合い重りの脱レールを検出する脱レール検出手段と、この脱レール検出手段が脱レールを検出したときにエレベータの駆動装置を制御して前記つり合い重りの移動を停止させる制御手段とを具備することを特徴としている。
【０００９】
請求項２の発明は、前記つり合い重りが、前記ガイドレールと摺動自在に係合してつり合い重りをガイドする案内装置を備え、この案内装置に前記脱レール検出手段が設けられていることを特徴としている。
【発明の効果】
【００１０】
この発明によれば、つり合い重りに脱レールが発生したときに、速やかにエレベータの運行を停止させて安全を図ることができる。
【発明を実施するための最良の形態】
【００１１】
以下、この発明の実施形態について図面を参照して説明する。  
図１には、エレベータの全体の構成を示してあり、建物の昇降路１の上部には機械室２が設けられ、この機械室２内に駆動装置としての巻上機３が設置されている。巻上機３はトラクションシーブ４を備え、このトラクションシーブ４にメインロープ６が巻き掛けられている。メインロープ６の両端側は昇降路１内に引き落とされ、その一方側の端末に乗りかご７が、他端側の端末につり合い重り８がそれぞれ連結され、これら乗りかご７及びつり合い重り８が昇降路１内に吊り下げられている。
【００１２】
機械室２にはエレベータを制御する制御手段として制御盤１０が設けられ、この制御盤１０と乗りかご７とがテールコード１１で連結され、このテールコード１１を介して乗りかご７への給電や制御信号の授受が行なわれる。前記巻上機３には安全回路が接続され、その安全回路を介して巻上機３の駆動が前記制御盤１０により制御される。そして巻上機３が起動し、トラクションシーブ４が回転してメインロープ６が走行することにより乗りかご７とつり合い重り８が昇降路１内で互いに逆方向に昇降移動する。
【００１３】
昇降路１内にはつり合い重り用の一対のガイドレール１３が平行に並んで垂直に起立するように設けられ、これら一対のガイドレール１３間につり合い重り８が配置されている。つり合い重り８の上下両側部にはそれぞれ案内装置１４が設けられ、これら案内装置１４がガイドレール１３と摺動自在に係合し、これら案内装置１４を介してつり合い重り８がガイドレール１３に沿って移動するように案内される。  
なお、乗りかご７に対しても、図示しないが案内用のガイドレール及びそのガイドレールに係合する案内装置が設けられ、乗りかご７の移動がそのガイドレールに沿って移動するように案内装置を介して案内される。
【００１４】
図２にはつり合い重りに設けられた案内装置１４の構造を示してある。案内装置１４は、つり合い重り８に取り付けられた基台１５を有し、この基台１５に断面コ字状をなすガイドシュー１６が設けられ、このガイドシュー１６がガイドレール１３に摺動自在に係合し、この係合でつり合い重り８がガイドレール１３に沿って移動するように案内される。
【００１５】
基台１５の上には取付アングル１７が設けられ、この取付アングル１７の上に脱レール検出手段としての検出スイッチ１８が取り付けられている。この検出スイッチ１８は前記ガイドレール１３に接触する接触子（図示せず）を有し、つり合い重り８の脱レール時にその接触子とガイドレール１３との接触が外れることで脱レールを検出するようになっている。
【００１６】
案内装置１４は、図１に示すようにつり合い重り８の上端両側部及び下部両側部に設けられているが、その各案内装置１４にそれぞれ脱レールを検出する検出スイッチ１８が設けられている。つり合い重り８の下端両側部に設けられた案内装置１４は、図２に示す案内装置１４を上下反転した状態でつり合い重り８に取り付けられている。
【００１７】
つり合い重り８と乗りかご７は、図１に示すように配線ケーブル２２で接続されている。そしてこの配線ケーブル２２を通して前記各検出スイッチ１８の信号が乗りかご７に送られ、さらにその信号がテールコード１１を通して制御盤１０に送られるようになっている。
【００１８】
次に、この実施形態の作用について説明する。
【００１９】
通常の運行時に地震などの異常振動でつり合い重り８がガイドレール１３から外れる脱レールが生じると、この脱レールが検出スイッチ１８により検出され、その信号が配線ケーブル２２及びテールコード１１を通して制御盤１０に送られる。この信号の入力に基づいて、制御盤１０による制御で巻上機３を駆動する安全回路が遮断され、これにより乗りかご７及びつり合い重り８の移動が停止する。
【００２０】
このように、エレベータの運行中に脱レールが生じたときには、乗りかご７及びつり合い重り８の移動が速やかに停止し、このため乗りかご７とつり合い重り８との衝突や、つり合い重り８が他の機器に衝突するような危険を未然に防止することができる。
【００２１】
なお、検出スイッチ１８が脱レールを検出したときに、乗りかご７が最寄の階に達するまで巻上機３を駆動し、その後に安全回路を遮断して乗りかご７及びつり合い重り８の移動を停止させるように制御する場合であってもよい。
【００２２】
脱レールを検出する検出スイッチ１８としては、接触式のものに限らず、光電式、磁気式、近接式などの検出スイッチを用いることも可能である。また、検出スイッチ１８は、つり合い重り８の上下両側の４箇所に設ける場合のほか、上部両側の２箇所、あるいは下部両側の２個所、さらにはつり合い重り８の上下方向の中間部の両側の２箇所などに設けるような場合であってもよい。
【図面の簡単な説明】
【００２３】
【図１】この発明の一実施形態を示すエレベータの全体の構成図。
【図２】そのエレベータのつり合い重りに設けられた案内装置を示す斜視図。
【符号の説明】
【００２４】
１…昇降路
２…機械室
３…巻上機
４…トラクションシーブ
６…メインロープ
７…乗りかご
８…つり合い重り
１０…制御盤
１１…テールコード
１３…ガイドレール
１４…案内装置
１５…基台
１６…ガイドシュー
１７…取付アングル
１８…検出スイッチ
２２…配線ケーブル
【図１】
2008030933.tif 000003
【図２】
2008030933.tif 000004